(57)【要約】【課題】袋内の粘性流体をより効率的に絞り出すことができる絞り出し装置を提供する。【解決手段】絞り出し装置１００は、粘性流体１２が入った袋１０から粘性流体１２を絞り出すために使用される。絞り出し装置１００は、袋１０の一端１４の付近を把持する把持部２０と、袋１０の他端１６の付近に形成された穴１８から粘性流体１２が絞り出されるように把持部２０を回転させて袋１０を捻る回転機構３０とを備える。【選択図】図１
2010001037.tif 000002
【特許請求の範囲】
【請求項１】
粘性流体が入った袋から前記粘性流体を絞り出すための絞り出し装置であって
前記袋の一端付近を把持する把持部と、
前記袋の他端付近に形成された穴から前記粘性流体が絞り出されるように前記把持部を回転させて前記袋を捻る回転機構と、
を備えることを特徴とする絞り出し装置。
【請求項２】
前記袋のうち前記把持部の回転によって捻られた部分の長さが長くなるように前記袋のうち前記粘性流体が残っていることによって膨らんでいる部分を前記他端に向けて押し付ける押し付け機構を更に備えることを特徴とする請求項１に記載の絞り出し装置。
【請求項３】
前記押し付け機構は、前記捻られた部分が通る貫通孔を有する操作部を含み、前記袋のうち前記粘性流体が残っていることによって膨らんでいる部分を前記操作部によって前記他端に向けて押し付ける、
ことを特徴とする請求項２に記載の絞り出し装置。
【請求項４】
前記押し付け機構は、前記回転機構が前記把持部を回転させることに伴って前記操作部を移動させることによって、前記袋のうち前記粘性流体が残っていることによって膨らんでいる部分を前記他端に向けて押し付ける、
ことを特徴とする請求項３に記載の絞り出し装置。
【請求項５】
前記押し付け機構は、前記回転機構から与えられる回転力を並進力に変換する送りネジ機構を含み、前記送りネジ機構によって前記操作部を移動させる、
ことを特徴とする請求項４に記載の絞り出し装置。
【請求項６】
前記回転機構は、ハンドルを含み、前記ハンドルが回転操作されることに応じて前記把持部を回転させる、
ことを特徴とする請求項１乃至５のいずれか１項に記載の絞り出し装置。
【請求項７】
前記把持部は、前記袋を吊り下げるように前記袋の一端付近を把持する、
ことを特徴とする請求項１乃至６のいずれか１項に記載の絞り出し装置。
【請求項８】
前記袋を下方から支持する支持部を更に備え、前記支持部は、前記袋の前記他端付近に形成された穴から絞り出される前記粘性流体を通すための開口部を有し、
前記穴から絞り出された粘性流体は、前記開口部を通過して滴り落ちる、
ことを特徴とする請求項１乃至７のいずれか１項に記載の絞り出し装置。
【発明の詳細な説明】
【技術分野】
【０００１】
粘性流体が入った袋から該粘性流体を絞り出すための絞り出し装置に関する。
【背景技術】
【０００２】
糊等の粘性流体が入った袋からそれを絞り出す作業は、粘性流体の内容量が１０Ｋｇ、２０Ｋｇ或いはそれを超えるような量になると、非常に困難になる。
特許文献１には、高粘性体が入った袋を基台に載置した状態でローラーを水平方向に移動させることによって袋から高粘性体を絞り出す装置が開示されている。
【特許文献１】特開２００１−２２５８１６号公報
【発明の開示】
【発明が解決しようとする課題】
【０００３】
粘性流体が入った袋を手作業で押し潰して袋から粘性流体を絞り出す方法では、袋の内面に相当量の粘性流体が残りうる。例えば、出願人の実験では、２０Ｋｇの糊が入った袋から手作業で糊を絞り出した場合には、約３００ｇもの糊が袋の中に残った。これは看過できない量である。もちろん、長時間を掛けて糊を絞り出せば、相応の効果を上げることができるが、そのための負担は大きい。
特許文献１に記載された装置では、作業者の負担は大幅に軽減されるが、特許文献１に記載されたような袋を平面状に押し潰して糊を絞り出す方式では、袋の内面の全体にわたって一様に粘性流体が残ってしまいうる。
本発明は、上記の背景に鑑みてなされたものであり、袋内の粘性流体をより効率的に絞り出すことができる絞り出し装置を提供することを目的とする。
【課題を解決するための手段】
【０００４】
本発明の１つの側面は、粘性流体が入った袋から前記粘性流体を絞り出すための絞り出し装置に係り、前記絞り出し装置は、前記袋の一端付近を把持する把持部と、前記袋の他端付近に形成された穴から前記粘性流体が絞り出されるように前記把持部を回転させて前記袋を捻る回転機構とを備える。
【発明の効果】
【０００５】
本発明によれば、袋内の粘性流体をより効率的に絞り出すことができる絞り出し装置が提供される。
【発明を実施するための最良の形態】
【０００６】
以下、添付図面を参照しながら本発明の好適な実施形態を説明する。
図１、図２は、それぞれ、本発明の好適な実施形態の絞り出し装置の構成を模式的に示す正面図、断面図である。図３、図４は、本発明の好適な実施形態の絞り出し装置による袋からの粘性流体の絞り出しの手順を模式的に示す図である。
【０００７】
本発明の好適な実施形態の絞り出し装置１００は、粘性流体１２が入った袋１０から粘性流体１２を絞り出すために使用される。粘性流体１２は、例えば糊であるが、これに限定されるものではない。絞り出し装置１００は、粘性流体１２が入った袋１０の一端１４の付近を把持する把持部２０と、図４に矢印Ａで例示されるように把持部２０を回転させて袋１０の一端１４側を捻る回転機構３０とを備える。把持部２０の回転によって袋１０の一端１４の側が徐々に捻られると、捻られた部分（捻り部分）１１の長さが徐々に長くなり、これによって、袋１０の他端１６の付近に形成された穴１８から粘性流体１２が絞り出される。
回転機構３０は、例えば、ハンドル３２を含み、ハンドル３２が作業者によって回転操作されることに応じて回転軸３６を通して把持部２０を回転させる。回転軸３６は、ベアリングを介してフレーム６０によって支持されうる。回転機構３０は、ギアボックス３４を含みうる。ギアボックス３４は、例えば、ハンドル３２によって与えられる回転を減速して回転軸３６に伝達しうる。或いは、ギアボックス３４は、ハンドル３２によって与えられる回転を減速することなく回転軸３６に伝達してもよい。或いは、ハンドル３２の操作によって回転軸３６が直接に回転駆動されてもよい。回転機構３０は、ハンドル３２に代えて、回転軸３６を駆動するためのモータを含んでもよい。
【０００８】
把持部２０は、例えば、図３に例示的に示すように、袋１０が吊り下げられるように袋１０の一端１４の付近を把持する。把持部２０は、例えば、嘴状の構造を有しうるが、袋１０の一端１４の付近を把持することができる構造であれば、如何なる構造を有してもよい。
【０００９】
絞り出し装置１００は、押し付け機構４０を更に備えることが好ましい。押し付け機構４０は、袋１０のうち把持部２０の回転によって捻られた部分（捻り部分）１１の長さが長くなるように、図４に矢印Ｂで例示的に示すように、袋１０のうち粘性流体１２が残っていることによって膨らんでいる部分１５を他端１６（粘性流体の押し出し方向）に向けて押し付ける。
【００１０】
押し付け機構４０は、捻り部分１１が通る貫通孔４３を有する操作部４２を含み、袋１０の膨らんでいる部分１５を操作部４２によって袋１０の他端１６に向けて押し付ける。操作部４２は、例えば、リング形状を有しうる。
押し付け機構４０は、回転機構３０が把持部２０を回転させることに伴って（すなわち回転に同期して）、操作部４２を粘性流体１２の押し出し方向に移動させることが好ましい。これにより、把持部２０の回転による袋１０の捻り部分１１の拡大とともに、袋１０の膨らんでいる部分１５を袋１０の他端１６に向けて押し付けることができる。ここで、操作部４２の移動方向は、典型的には、回転軸３６と平行である。
押し付け機構４０は、回転機構３０から与えられる回転力を並進力に変換する送りネジ機構５０を含み、送りネジ機構５０によって操作部４２を移動させうる。回転機構３０から送りネジ機構５０への回転力の伝達は、ギアボックス３４を介してなされうる。ギアボックス３４は、例えば、変速機を含み、該変速機を介して、ハンドル３２の操作による回転力を送りネジ機構５０に伝達しうる。送りネジ機構５０は、ギアボックス３４から与えられる回転力によって回転駆動されるネジ４８と、ネジ４８の回転に従って１軸方向（この実施形態では、押し出し方向或いは鉛直方向）に移動するナット４９とを含みうる。ネジ４８は、ベアリングを介してフレーム６０によって支持される。押し付け機構４０は、操作部４２を保持するホルダ４４と、ナット４９とホルダ４４とを連結する連結部材４６とを含みうる。
【００１１】
絞り出し装置１００は、袋１０を下方から支持する支持部７０を更に備えることが好ましい。支持部７０は、袋１０の他端１６の付近に形成された穴１８を通して絞り出される粘性流体１２を通すための開口部７２を有する。穴１８を通して袋１０から絞り出された粘性流体１２は、開口部７２を通過して受け容器８０に滴り落ちる。支持部７０は、典型的には、上部が開口された容器の構造を有しうる。支持部７０は、フレーム６０によって支持されうる。
この実施形態において、袋１０からの粘性流体１２の絞り出しの作業手順は、次のとおりである。まず、図３に例示的に示すように、粘性流体１２が入った袋１０を支持部７０によって支持させ、その一端１４の側を操作部４２の貫通孔４３に通した後に、その一端１４の付近を把持部２０によって把持させる。また、操作部４２をホルダ４４に嵌め込む。
次いで、図４に例示的に示すように、袋１０の他端１６の付近にカッター等で穴１８を形成し、ハンドル３２を操作することによって、把持部２０を回転させるとともに押し付け機構４０の操作部４２を下降させる。把持部２０の回転および操作部４２の移動によって捻り部分１１の長さが徐々に長くなり、これによって、袋１０の他端１６の付近に形成された穴１８を通して粘性流体１２が絞り出される。
以上のように、袋を捻りながらその内容物である粘性流体を袋から絞り出すことによって、袋の内面に残る粘性流体を大幅に減らすことができる。袋を捻ることは、その内側に形成される空間を最小化するために効果的であり、それは、袋の内面に残る粘性流体を減らすことに貢献する。
【図面の簡単な説明】
【００１２】
【図１】本発明の好適な実施形態の絞り出し装置の構成を模式的に示す正面図である。
【図２】本発明の好適な実施形態の絞り出し装置の構成を模式的に示す断面図である。
【図３】本発明の好適な実施形態の絞り出し装置による袋からの粘性流体の絞り出しの手順を模式的に示す図である。
【図４】本発明の好適な実施形態の絞り出し装置による袋からの粘性流体の絞り出しの手順を模式的に示す図である。
【符号の説明】
【００１３】
１０  袋
１１  捻り部
１２  粘性流体
１４  袋の一端
１５  袋の膨らんだ部分
１６  袋の他端
１８  袋に形成された穴
２０  把持部
３０  回転機構
３２  ハンドル
３４  ギアボックス
３６  回転軸
４０  押し付け機構
４２  操作部
４３  貫通孔
４４  ホルダ
４６  連結部材
４８  ネジ
４９  ナット
５０  送りネジ機構
６０  フレーム
７０  支持部
７２  開口部
８０  受け容器
１００  絞り出し装置
【図１】
2010001037.tif 000003
【図２】
2010001037.tif 000004
【図３】
2010001037.tif 000005
【図４】
2010001037.tif 000006